(57)【要約】【課題】シャッタを閉じた状態で確実にロックし、且つロック機構を誤って操作してシャッタのロックを解除することがないようにして、感光性記録媒体の曝光を防止することができる信頼性の高い感光性記録媒体用カートリッジ及び駆動装置を提供する。【解決手段】感光性の記録ディスク４を収容するカートリッジ２は、記録ディスク４の中心部４ａ及び記録面４ｂを外部に露呈させる開口１８，１９を有するカートリッジ本体１１と、カートリッジ本体１１の外側にスライド自在に組み込まれて開口１８，１９を開閉するシャッタ１３と、シャッタ１３を閉じ位置でロックするロック機構２７とを備え、ロック機構２７を構成する被操作部材６３は、カートリッジ本体１１の内部に配設されており、スライド部材５６に形成された解除穴５６ｄにロック解除ピン７９ａを挿入して被操作部材６３のロック解除部６３ａを押圧することにより、ロックが解除される。【選択図】図１２
2007058984.tif 000002
【特許請求の範囲】
【請求項１】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを前記閉じ位置でロックするロック機構と、を備える感光性記録媒体用カートリッジであって、
前記ロック機構は、前記シャッタと係合して前記シャッタをロックする係止部と前記感光性記録媒体用カートリッジの装填方向前方から後方に向けて押圧されたとき前記シャッタのロックを解除するロック解除部とを有して前記カートリッジ本体の内部に配設され、
前記シャッタは、前記シャッタの閉じ位置において前記ロック解除部に対向する位置にロック解除ピンが挿入可能な解除穴を備え、
前記感光性記録媒体用カートリッジの装填方向前方から後方に向けて前記ロック解除ピンを前記解除穴に挿入することにより前記ロック解除部を押圧して前記シャッタのロックを解除することを特徴とする感光性記録媒体用カートリッジ。
【請求項２】
前記解除穴は、前記シャッタの前記装填方向前面から前記係止部が係合する凹部に貫通して形成されたことを特徴とする請求項１に記載の感光性記録媒体用カートリッジ。
【請求項３】
前記感光性記録媒体は、ホログラム記録媒体であることを特徴とする請求項１または請求項２に記載の感光性記録媒体用カートリッジ。
【請求項４】
ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを前記閉じ位置でロックするロック機構とを備え、前記ロック機構が前記シャッタと係合して前記シャッタをロックする係止部と前記感光性記録媒体用カートリッジの装填方向前方から後方に向けて押圧されたとき前記シャッタのロックを解除するロック解除部とを有する感光性記録媒体用カートリッジに、記録再生を行う駆動装置であって、
前記カートリッジの前記ロック解除部に対向する位置にロック解除ピンを備え、前記カートリッジの装填方向前方から後方に向けて前記ロック解除ピンを前記解除穴に挿入することにより前記ロック解除部を押圧することを特徴とする駆動装置。
【請求項５】
前記ロック解除ピンが、前記カートリッジ本体の挿入側の側面に対して対称位置にそれぞれ一対設けられていることを特徴とする請求項４に記載の駆動装置。
【請求項６】
前記カートリッジ本体の側面に設けられた位置決め溝に係合する位置決め部材を備えていることを特徴とする請求項４又は５に記載の駆動装置。
【請求項７】
前記シャッタを開閉するシャッタスライド機構を備えていることを特徴とする請求項４から６のいずれか１つに記載の駆動装置。
【請求項８】
前記ロック解除ピンが解除方向に移動可能であることを特徴とする請求項４から７のいずれか１つに記載の駆動装置。
【請求項９】
前記一対のロック解除ピンのうち一方が前記解除穴に挿入された状態で、他方が前記カートリッジ本体と当接することで前記カートリッジの挿入方向に引っ込むことを特徴とする請求項５に記載の駆動装置。
【発明の詳細な説明】
【技術分野】
【０００１】
本発明は、感光性記録媒体を収容する感光性録媒体用カートリッジ及び駆動装置に関し、特に、カートリッジ本体に設けられた開口を開閉するシャッタを閉じ位置でロックし、あるいは該ロックを解除するロック機構を備えた感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、インナーケース、アウターケース、およびシャッタを有し、該シャッタをロックするロック機構を備えたものが知られている（例えば、特許文献３参照）。
【０００３】
特許文献１記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３記載の発明は、シャッタから延びて先端に係止爪を有する弾性片を備えており、該係止爪をアウターケースに形成された第１係合凹部または第２係合凹部に係合させて、シャッタを閉じ位置または開き位置で保持するロック機構が設けられている。
【０００６】
【特許文献１】特開２００４―０２９４７６号公報
【特許文献２】特開２００３―３１７４２２号公報
【特許文献３】特開平８―５５４５６号公報
【発明の開示】
【発明が解決しようとする課題】
【０００７】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。更に、適切に遮光及び防塵されていても、不用意にシャッタが開放されるとホログラム記録媒体が感光して使用できなくなるので、シャッタの誤操作を防止するため、シャッタのロック機構の設置が望ましい。
【０００８】
しかし、特許文献１には、カートリッジ本体とシャッタとの間の遮光及び防塵構造およびロック機構に関する記載がない。また、特許文献２記載のカートリッジは、カートリッジ本体とシャッタとの間をスポンジ状の遮光材で遮光しているが、シャッタを閉じ位置でロックするロック機構を備えておらず、シャッタが不用意に開放される虞があり、ホログラム記録媒体が感光して使用できなくなる可能性があった。
【０００９】
特許文献３記載のカートリッジは、遮光構造についてはなんら記載されていない。また、シャッタのロック機構を備えてはいるが、このロック機構は、単に弾性を有する薄板状バネ材の先端に形成された係止爪をアウターケースに設けられた係合凹部に嵌合させてシャッタを閉じ位置または開き位置で保持するようにしたものであり、ロックを解除するときに操作する乗り上げ部がアウターケースの表面より外側に配設されている。従って、乗り上げ部に接触し易く、誤って乗り上げ部を押圧するとロックが解除されてシャッタが開放される虞があり、感光性記録媒体用カートリッジとしては、必ずしも十分な性能ではなく改善の余地があった。
【００１０】
単に、シャッタのロックを解除し難くするのであれば、２段階の操作によりロックが解除されるようにすることも考えられるが、その場合には、感光性記録媒体用カートリッジのロック機構および記録再生装置の機構が複雑になって、小型化を阻害し、また製作費の増大につながり好ましくない。
【００１１】
本発明は、上記事情に鑑みてなされたもので、その目的は、シャッタを閉じた状態で確実にロックし、且つロック機構を誤って操作してシャッタのロックを解除することがないようにして、感光性記録媒体の曝光を防止することができる信頼性の高い感光性記録媒体用カートリッジを提供することにある。
【課題を解決するための手段】
【００１２】
本発明の上記目的は、下記感光性記録媒体用カートリッジによって達成される。
（１）  ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを前記閉じ位置でロックするロック機構と、を備える感光性記録媒体用カートリッジであって、前記ロック機構は、前記シャッタと係合して前記シャッタをロックする係止部と前記感光性記録媒体用カートリッジの装填方向前方から後方に向けて押圧されたとき前記シャッタのロックを解除するロック解除部とを有して前記カートリッジ本体の内部に配設され、前記シャッタは、前記シャッタの閉じ位置において前記ロック解除部に対向する位置にロック解除ピンが挿入可能な解除穴を備え、前記感光性記録媒体用カートリッジの装填方向前方から後方に向けて前記ロック解除ピンを前記解除穴に挿入することにより前記ロック解除部を押圧して前記シャッタのロックを解除することを特徴とする感光性記録媒体用カートリッジ。
【００１３】
上記構成の感光性記録媒体用カートリッジによれば、ロック機構のロック解除部が、カートリッジ本体の内部に配設されているので、工具などを用いない限りロック解除部をカートリッジの外部から操作することはできない。従って、取扱者の不注意などによってシャッタが不用意に開くことがなく、感光性記録媒体は感光が防止されて感光性記録媒体用カートリッジに収容される。これにより、感光性記録媒体用カートリッジの取扱いが容易となる。
【００１４】
また、シャッタには、その閉じ位置においてロック解除部に対向する位置に解除穴が形成されており、解除穴に感光性記録媒体用カートリッジの装填方向前方から後方に向けてロック解除ピンを挿入してロック解除部が押圧されたとき、シャッタのロックが解除される。これにより、感光性記録媒体用カートリッジを記録再生装置などに装填する操作だけでシャッタのロックを解除することができる。即ち、シャッタは、誤操作によっては開き難く、且つ正常な使用時には容易に開くことができ、取扱い性、および信頼性が向上する。
【００１５】
（２）  前記解除穴は、前記シャッタの前記装填方向前面から前記係止部が係合する凹部に貫通して形成されたことを特徴とする上記（１）に記載の感光性記録媒体用カートリッジ。
【００１６】
上記構成の感光性記録媒体用カートリッジによれば、解除穴がシャッタの前面から係止部が係合する凹部に貫通して形成されているので、感光性記録媒体用カートリッジを記録再生装置に装着することにより、ロック解除ピンが解除穴に挿入されてロック解除部を押圧する。これにより、記録再生装置に備える解除機構を簡単な機構とすることができる。また、感光性記録媒体用カートリッジを装填する操作だけでロック解除部を押圧して自動的にシャッタのロックを解除することができる。
【００１７】
（３）  前記感光性記録媒体は、ホログラム記録媒体であることを特徴とする上記（１）または（２）に記載の感光性記録媒体用カートリッジ。
【００１８】
上記構成の感光性記録媒体用カートリッジによれば、ホログラム記録媒体を感光させることなく、且つ清浄な状態でカートリッジ本体内に保持することができる。
【００１９】
（４）  ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に組み込まれて前記開口を閉じる閉じ位置と前記開口を開放する開き位置との間で移動自在に配設されたシャッタと、前記シャッタを前記閉じ位置でロックするロック機構とを備え、前記ロック機構が前記シャッタと係合して前記シャッタをロックする係止部と前記感光性記録媒体用カートリッジの装填方向前方から後方に向けて押圧されたとき前記シャッタのロックを解除するロック解除部とを有する感光性記録媒体用カートリッジに、記録再生を行う駆動装置であって、前記カートリッジの前記ロック解除部に対向する位置にロック解除ピンを備え、前記カートリッジの装填方向前方から後方に向けて前記ロック解除ピンを前記解除穴に挿入することにより前記ロック解除部を押圧することを特徴とする駆動装置。
【００２０】
本発明の駆動装置によれば、記録・再生時に、上記構成の感光性記録媒体用カートリッジのシャッタの開閉動作を円滑に行うことができる。
【００２１】
（５）  前記ロック解除ピンが、前記カートリッジ本体の挿入側の側面に対して対称位置にそれぞれ一対設けられていることを特徴とする上記（４）に記載の駆動装置。こうすれば、カートリッジの両面のいずれが上方に向けられた状態で駆動装置にセットされても、いずれか一方のロック解除ピンによってロック解除部を操作することができる。
【００２２】
（６）  前記カートリッジ本体の側面に設けられた位置決め溝に係合する位置決め部材を備えていることを特徴とする上記（４）又は（５）に記載の駆動装置。こうすれば、記録再生時に、駆動装置に装填されたカートリッジを適正な位置に保持することができる。
【００２３】
（７）  前記シャッタを開閉するシャッタスライド機構を備えていることを特徴とする上記（４）から（６）のいずれか１つに記載の駆動装置。こうすれば、駆動装置に装填されたカートリッジのシャッタを開閉させることができる。
【００２４】
（８）  前記ロック解除ピンが解除方向に移動可能であることを特徴とする上記（４）から（７）のいずれか１つに記載の駆動装置。こうすれば、ロック解除をよりスムーズに行うことができる。
【００２５】
（９）  前記一対のロック解除ピンのうち一方が前記解除穴に挿入された状態で、他方が前記カートリッジ本体と当接することで前記カートリッジの挿入方向に引っ込むことを特徴とする上記（５）に記載の駆動装置。こうすれば、カートリッジが反転した状態で装填された場合でも、カートリッジ本体とロック解除ピンとが互いに干渉することなく、ロック解除を確実に行うことができる。
【発明の効果】
【００２６】
本発明の感光性記録媒体用カートリッジ及び駆動装置によれば、シャッタを閉じた状態で確実にロックすると共に、ロック機構を誤って操作してシャッタのロックを解除することが阻止される。これにより、シャッタの不用意な開放による感光性記録媒体の曝光を防止することができる。
【発明を実施するための最良の形態】
【００２７】
以下、本発明の実施形態を図面に基づいて詳しく説明する。
図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。
【００２８】
図１から図３に示すように、カートリッジ２は、このカートリッジを取り扱うホログラム記録装置等に対し、矢印Ｃ方向から装填される。カートリッジ２の装填方向先端の両側面には、カートリッジ２がホログラム記録装置等の各種機器に装填された際に、各機器に設けられた位置決め部材が挿入される位置決め溝７,８が設けられている。
【００２９】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００３０】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００３１】
図３に示すように、シャッタ１３が矢印Ｄ方向の開き位置に向けて移動すると、外部開口１４,１５に対面するようにカートリッジ本体１１に設けられた外部開口１４,１５と同形状の内部開口１８,１９が、外部開口１４,１５とともに開放される。これにより、ディスク収容部３内に収容されている記録ディスク４の中心部４ａと、記録面４ｂとが外部に露呈される。
【００３２】
シャッタ１３は、内蔵するシャッタバネによって閉じ位置に付勢され、かつロック機構によって閉じ位置でロックされている。ロック機構の解除は、カートリッジ本体１１の装填方向前面に配置されたスライド部材５６に設けられた解除穴５６ｄから、ロック機構２７を構成する被操作部材６３のロック解除部６３ａを押圧することにより解除される（図４参照）。被操作部材６３は、カートリッジ本体１１の内部に配設されているので、外部から接触することが難しく、シャッタ１３が不用意に開放されることはない。
【００３３】
図４は、カートリッジ２の構成を示す分解斜視図、図５は図４におけるＶ−Ｖ矢視断面図、図６は図４におけるＶＩ−ＶＩ矢視断面図である。また、図７（Ａ）はカートリッジの装填方向の断面図、（Ｂ）は（Ａ）の部分拡大図、（Ｃ）は（Ａ）の他の部分拡大図、図８はカートリッジの装填方向に直交する方向の断面図であり、（Ａ）はシャッタが閉じた状態の断面図、（Ｂ）はシャッタが開いた状態の断面図、図９は図８における円ＩＸで囲まれた部分の拡大図、図１０は図８における円Ｘで囲まれた部分の拡大図である。
【００３４】
図４に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００３５】
第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図７（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００３６】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００３７】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面２５ｅとによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３８】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００３９】
図４および図７から図１０に示すように、第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００４０】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００４１】
図４から図６に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００４２】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００４３】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図７から図１０に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００４４】
図４に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４５】
図７から図１０に示すように、遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２５ａ,２６ａに押圧されながら、各ピン５０の先端が熱で潰されることによりカートリッジ本体１１に固着される。
【００４６】
これにより、遮光板１２の各屈曲部１２ｄの先端は、それぞれ段差部２５ｄ,２６ｄに対向して位置すると共に、遮光板１２の弾性力により遮光板取付面２５ａ,２６ａに押圧されて隙間なく当接する。即ち、遮光板１２の外周端部（各屈曲部１２ｄの先端）と遮光板取付面２５ａ,２６ａは隙間がない状態で密着する。更に、遮光板１２の外周端部は、段差部２５ｄ,２６ｄにより覆われるので、例え、部品精度誤差などに起因して部分的に隙間があっても確実に光の回り込みを防止して遮光する。
【００４７】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４８】
図４に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４９】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００５０】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００５１】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００５２】
図７（Ｂ）及び図１１に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００５３】
スライド部材５６の他端側には、シャッタ１３を開く際に操作される解除穴５６ｄが貫通して形成されている。この解除穴５６ｄは、シャッタ部材５５に対し、スライド部材５６をシャッタの閉じ方向に伸ばした端部に設けたことにより、遮光板１２の第３の板部１２ｃに隠れることなく外部に露出されている。遮光板１２の第３の板部１２ｃの切欠４０は、シャッタ１３が開き位置に移動した際に、解除穴５６ｄを露出させるために設けられている（図３参照）。
【００５４】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００５５】
スライド部材５６には、解除穴５６ｄと同じ位置の裏面側に矩形孔形状の凹部５６ｅが形成されている。換言すれば、解除穴５６ｄは、スライド部材５６の前面と凹部５６ｅとを連通させるように貫通している。凹部５６ｅの図中右側面は、カートリッジの装填方向前方に向かうに従って次第にシャッタの閉じ方向に傾斜する係合傾斜面（係合部）５６ｆが形成されている。また、スライド部材５６の図中右端面と下面との角部は、係合傾斜面５６ｆと略平行に面取りされた案内傾斜面５６ｇが形成されている。
【００５６】
次にロック機構について、図１１から図１３に基づいて説明する。図１１はロック機構の構成を示す分解斜視図、図１２は図１１に示すロック機構の動作説明図、図１３はシャッタを開放するための機構の一例を示す説明図である。
【００５７】
ロック機構２７は、被操作部材６３と、被操作部材６３を図中反時計方向に向けて付勢するロックバネ６５とから構成されている。被操作部材６３は、その一端に形成された穴６３ｃが第１シェル２５の内面に形成されたボス７２に回動自在に嵌合している。被操作部材６３の先端には、スライド部材５６の凹部５６ｅと係合してシャッタ１３をロックする係止部６３ｂが形成されている。また、被操作部材６３の上面には、平面状のロック解除部６３ａと、該ロック解除部６３ａから穴６３ｃ方向に連続する斜面６３ｅとが形成されている。
【００５８】
ロック解除部６３ａは、シャッタ１３が閉じ位置にあるとき、スライド部材５６の凹部５６ｅに挿入され、解除穴５６ｄに対向して位置する。また、係止部６３ｂは、凹部５６ｅの係合傾斜面５６ｆと略平行に傾斜するフック形状となっており、スライド部材５６が図中左方向（シャッタが開く方向）に移動すると、係合傾斜面５６ｆと係合してシャッタ１３を閉じ位置でロックする。斜面６３ｅは、シャッタ１３が開き位置から閉じ位置に移動する際、スライド部材５６の案内傾斜面５６ｇが当接して被操作部材６３を時計方向に回動させて係止部６３ｂが凹部５６ｅに挿入するのを助ける。ロックバネ６５は、一端が第１シェル２５に形成されたボス７１に係合し、他端が被操作部材６３に係合して、被操作部材６３を反時計方向に付勢している。
【００５９】
尚、図１２（Ａ）に示すロック位置においては、係止部６３ｂの右端部と、凹部５６ｅの係合傾斜面５６ｆの左端部とは、同一垂直線上、または水平方向に僅かな隙間をもって配置されている。換言すれば、この状態においては、係止部６３ｂと係合傾斜面５６ｆとは係合していない。
【００６０】
しかし、スライド部材５６が僅かに図中左方向に移動すると、係合傾斜面５６ｆが係止部６３ｂと確実に係合してスライド部材５６の移動を阻止する。尚、スライド部材５６が左方向に移動すると、シャッタ１３も開く方向に移動するが、係合傾斜面５６ｆが係止部６３ｂと係合するまでの移動距離は、内部開口１８,１９周辺におけるカートリッジ本体１１とシャッタ１３とのオーバーラップ量に比較して遥かに少なく、内部開口１８,１９が開放されることはない。
【００６１】
図１２（Ａ）に示すように、カートリッジの不使用時には、被操作部材６３はロックバネ６５の付勢により図中反時計方向に付勢されて係止部６３ｂが凹部５６ｅに挿入されている。これにより、シャッタ１３を閉じ位置から開き位置にスライドさせようとすると、係合傾斜面５６ｆと係止部６３ｂとが係合してスライドすることはない。
【００６２】
図１３に示すように、カートリッジ２を装填して使用されるホログラム記録装置（駆動装置）内には、例えば、１対の位置決め部材７７ａ,７７ｂと、被操作部材６３のロック解除部６３ａを押圧するロック解除機構７８とが組み込まれている。一対の位置決め部材７７ａ,７７ｂは、装填されたカートリッジ２の両側面の位置決め溝７,８に係合して、カートリッジ２の挿入方向、及びこの挿入方向に直交する方向でカートリッジ２を位置決めする。
【００６３】
ロック解除機構７８は、スライド部材５６の解除穴５６ｄに挿入されてロック解除部６３ａを押圧するロック解除ピン７９ａと、このロック解除ピン７９ａを矢印方向にスライドさせるスライド機構を備えている。なお、記録ディスク４は両面への記録が可能であるため、カートリッジ２は、Ａ面２ａまたはＢ面２ｂのいずれもが上方に向けられて装置にセットされるが、装填面が異なると、ロック機構２７の位置が左右で反転する。そのため、ロック解除機構７８は、カートリッジ２が反転して装填された場合でもロック解除部６３ａを押圧できるように、カートリッジ本体２の挿入側の側面（図１３において手前側側面）に対して対称位置に反転装填時用のロック解除ピン７９ｂを備えている。一対のロック解除ピン７９ａ，７９ｂは、同時に矢印方向に移動される。なお、一方のロック解除ピンが解除穴５６ｄに係合している際に、他方のロック解除ピンが邪魔になるため、ロック解除ピン７９ａ,７９ｂは、カートリッジ２に当接した時にカートリッジ２の装填方向（図１３中矢印Ｃ方向）に引っ込むような構造にするとよい。
【００６４】
図１２（Ｂ）に示すように、カートリッジがホログラム記録装置等に装填されると、位置決め溝７に挿入された位置決め部材７７ａによりカートリッジ２が位置決めされると共に、ロック解除ピン７９ａがスライド部材５６の解除穴５６ｄに挿入されて被操作部材６３のロック解除部６３ａを押圧する。これにより、被操作部材６３が時計方向に回動して係止部６３ｂがスライド部材５６の凹部５６ｅから抜け出るため、シャッタの移動が可能となる。次いで、ロック解除ピン７９ａは、解除穴５６ｄに嵌合したまま、図中左方向に移動してシャッタを開放する。
【００６５】
この実施形態のロック機構２７においては、シャッタ１３のロックを解除するための被操作部材６３がカートリッジ２の内部に配設されているので、外部から操作することは難しく、不用意にシャッタ１３が開放されるのを効果的に防止することができる。また、１アクションでシャッタ１３のロックを解除することができ、ロック機構２７を簡単な機構で構成することができる。
【００６６】
尚、第２シェル及び第１シェルを１部品で構成したが、複数の部品を組みあわせて形成してもよい。例えば、シャッタ収納部を境にして２部品で構成すれば、金型の簡易化を図ることができる。
【００６７】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００６８】
【図１】本発明を実施したカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【図５】図４におけるＶ−Ｖ矢視断面図である。
【図６】図４におけるＶＩ−ＶＩ矢視断面図である。
【図７】カートリッジの装填方向の断面図であり、（Ａ）は全体図、（Ｂ）は要部拡大図、（Ｃ）は他の要部拡大図である。
【図８】カートリッジの装填方向に直交する方向の断面図であり、（Ａ）はシャッタが閉じた状態の断面図、（Ｂ）はシャッタが開いた状態の断面図である。
【図９】図８における円ＩＸで囲まれた部分の拡大図である。
【図１０】図８における円Ｘで囲まれた部分の拡大図である。
【図１１】ロック機構の構成を示す分解斜視図である。
【図１２】図１１に示すロック機構の動作説明図である。
【図１３】シャッタを開放するための機構の一例を示す説明図である。
【符号の説明】
【００６９】
２           カートリッジ（感光性記録媒体用カートリッジ）
４           記録ディスク（感光性記録媒体、ホログラム記録媒体）
４ａ         感光性記録媒体の中心
４ｂ         感光性記録媒体の記録面
１１         カートリッジ本体
１３         シャッタ
１８         内部開口（開口）
１９         内部開口（開口）
２７         ロック機構
６３         被操作部材
６３ａ       ロック解除部
６３ｂ       係止部
５６         スライダ部材
５６ｄ       解除穴
７９ａ       ロック解除ピン
【図１】
2007058984.tif 000003
【図２】
2007058984.tif 000004
【図３】
2007058984.tif 000005
【図４】
2007058984.tif 000006
【図５】
2007058984.tif 000007
【図６】
2007058984.tif 000008
【図７】
2007058984.tif 000009
【図８】
2007058984.tif 000010
【図９】
2007058984.tif 000011
【図１０】
2007058984.tif 000012
【図１１】
2007058984.tif 000013
【図１２】
2007058984.tif 000014
【図１３】
2007058984.tif 000015